(57)【特許請求の範囲】
【請求項１】
公共交通手段の複数の発着地と、前記複数の発着地それぞれに対する公共交通手段の移動経路に関する情報と、前記複数の発着地それぞれの店舗情報及び販売商品情報のうち少なくとも１つを含む駅内情報と、前記公共交通手段の遅れ及び事故に関する情報のうち少なくとも１つを含む路線状況情報とを記憶する経路情報記憶手段を備えたサーバと、
処理装置と入出力装置とを備え、前記経路情報記憶手段によって記憶された発着地のいずれかに配置された複数の画像形成装置と
を有し、
前記複数の画像形成装置それぞれは、
ユーザの認証を行う認証装置と、
前記処理装置によって実行され、前記経路情報記憶手段が記憶する発着地の少なくとも１つを特定する入力を受け付ける入力受付手段と、
前記処理装置によって実行され、当該画像形成装置が配置されている発着地から前記入力受付手段が受け付けた発着地への移動経路に関する情報と前記移動経路中の店舗情報及び販売商品情報のうち少なくとも１つを含む駅内情報とを、前記経路情報記憶手段が記憶する情報から検索する検索手段と、
前記処理装置によって実行され、前記検索手段が検索した結果を前記入出力装置に出力させる検索結果出力手段と
を有し、
前記複数の画像形成装置のうちの第１の画像形成装置は、前記認証装置によってなされたユーザの認証結果とそのユーザの検索履歴とを前記サーバに送信し、
前記経路情報記憶手段は、前記認証装置によってなされたユーザの認証結果とそのユーザの検索履歴とを対応付けて記憶し、
前記第１の画像形成装置の認証装置を用いて認証を行ったユーザが、前記第１の画像形成装置とは異なる発着地であって当該ユーザの移動経路中の発着地に設置された第２の画像形成装置の認証装置を用いて認証を行った場合に、当該第２の画像形成装置の入出力装置は、前記経路情報記憶手段に記憶された当該ユーザの検索履歴とともに前記公共交通手段の遅れ及び事故に関する情報のうち少なくとも１つを含む前記路線状況情報を表示し、
前記経路情報記憶手段は、前記ユーザの認証結果とそのユーザの検索履歴とを対応させる情報を、前記検索された移動経路でユーザが到着地に到着する時刻に削除する
情報出力ネットワークシステム。
【請求項２】
前記検索結果出力手段は、表示、印刷及び発声の少なくともいずれかを行うことにより、前記検索手段の検索結果を前記入出力装置に出力させる請求項１記載の情報出力ネットワークシステム。
【請求項３】
前記入力受付手段は、複数の発着地それぞれに対する公共交通手段の移動経路の選択画面を前記入出力装置に表示させることによって、発着地の少なくとも１つを特定する入力を受け付ける請求項１又は２記載の情報出力ネットワークシステム。
【請求項４】
前記画像形成装置は、
前記処理装置によって実行され、前記入力受付手段が配置されている発着地を他の発着地に変更する入力を受け付ける変更受付手段
をさらに有する
請求項１乃至３いずれか記載の情報出力ネットワークシステム。
【請求項５】
前記経路情報記憶手段は、複数の発着地それぞれに関する情報をさらに記憶し、
前記検索手段は、検索した移動経路中の発着地に関する情報をさらに検索する
請求項１乃至４いずれか記載の情報出力ネットワークシステム。
【請求項６】
前記検索手段は、複数の移動経路に関する情報を検索する
請求項１乃至５いずれか記載の情報出力ネットワークシステム。
【請求項７】
前記経路情報記憶手段は、移動経路に関する情報の一部として、複数の移動経路それぞれに対する所要時間、料金又は乗り換え回数に関する情報の少なくともいずれかを記憶し、
前記画像形成装置は、
前記処理装置によって実行され、前記経路情報記憶手段が記憶する所要時間、料金又は乗り換え回数に関する情報のいずれかを優先させた順に、前記検索結果出力手段が前記検索手段の検索結果を出力するよう制御する優先順位制御手段
をさらに有する
請求項６記載の情報出力ネットワークシステム。
【請求項８】
前記画像形成装置の入出力装置は、
前記優先順位制御手段が制御する優先順位に対する設定を受け付ける優先設定受付手段
をさらに有する
請求項７記載の情報出力ネットワークシステム。
【請求項９】
前記画像形成装置の前記入出力装置は、
前記検索結果出力手段が出力する複数の移動経路に関する情報のいずれかを選択する入力を受け付ける選択受付手段と、
この選択受付手段が受け付けた入力に応じて、移動経路に対する料金の支払い方法に関する情報を出力する支払情報出力手段と
をさらに有する
請求項６乃至８いずれか記載の情報出力ネットワークシステム。
【請求項１０】
前記支払情報出力手段は、表示、印刷及び発声の少なくともいずれかを行うことにより、移動経路に対する料金の支払い方法に関する情報を出力する
請求項９記載の情報出力ネットワークシステム。
【請求項１１】
前記画像形成装置の前記入出力装置は、
前記検索結果出力手段が出力する複数の移動経路に関する情報のいずれかを選択する入力を受け付ける選択受付手段
をさらに有し、
前記画像形成装置は、
この選択受付手段が受け付けた入力に応じて、移動経路に対する料金の清算を行う課金装置と、
前記課金装置が料金の精算を行った場合に、前記選択受付手段が受け付けた入力に対応する切符を印刷する印刷装置と
をさらに有する
請求項６乃至８いずれか記載の情報出力ネットワークシステム。
【発明の詳細な説明】
【技術分野】
【０００１】
本発明は、情報出力ネットワークシステムに関するものである。
【背景技術】
【０００２】
特許文献１は、掲示画像読み取りモードにおいて読み取ったデジタル画像データを掲示画像データとしてＨＤＤに保存し、ＨＤＤに保存してある１つ以上の掲示画像データを読み出して操作画面や表示装置に表示する際、ＣＰＵが、１つ以上の掲示画像データの表示サイズ及び１つ以上の掲示画像データの表示切り替え時間を制御する画像処理装置を開示する。また、特許文献２は、端末電話機からのコード信号を入力として先ず対応する大きい行政区画の道路地図を表示し、次いで対応する小さい行政区画の道路地図を表示する道路地図表示装置を開示する。
【０００３】
【特許文献１】特開２００２−１５６８７３号公報
【特許文献２】特開昭６０−２１００５６号公報
【発明の開示】
【発明が解決しようとする課題】
【０００４】
本発明は、簡易な入力を受け付けることによって、公共交通手段による移動の経路に関する情報を出力することができる情報出力ネットワークシステムを提供することを目的とする。
【課題を解決するための手段】
【０００５】
上記目的を達成するため、請求項１に係る本発明は、公共交通手段の複数の発着地とともに、複数の発着地それぞれに対する公共交通手段の移動経路に関する情報を記憶する経路情報記憶手段と、この経路情報記憶手段が記憶する発着地のいずれかに配置され、前記経路情報記憶手段が記憶する発着地の少なくとも１つを特定する入力を受け付ける入力受付手段と、この入力受付手段が配置されている発着地から、該入力受付手段が受け付けた発着地への移動経路に関する情報を、前記経路情報記憶手段が記憶する情報から検索する検索手段と、この検索手段が検索した結果を出力する検索結果出力手段とを有する情報出力ネットワークシステムである。
【０００６】
請求項２に係る本発明は、前記検索結果出力手段が、表示、印刷及び発声の少なくともいずれかを行うことにより、前記検索手段の検索結果を出力する請求項１記載の情報出力ネットワークシステムである。
【０００７】
請求項３に係る本発明は、前記入力受付手段が受け付けた入力に対応する所定の情報を取得する第１の対応情報取得手段と、この第１の対応情報取得手段が取得した所定の情報を記憶する対応情報記憶手段と、前記検索手段が検索した移動経路中の発着地に配置され、前記第１の対応情報取得手段が取得した情報と同じ所定の情報を取得する第２の対応情報取得手段と、前記検索手段が検索した移動経路中の発着地に配置され、情報を出力する情報出力手段と、前記第２の対応情報取得手段が所定の情報を取得した場合に、前記検索結果出力手段が出力した検索結果に関連する情報を、前記情報出力手段が出力するよう制御する情報出力制御手段とを有する請求項１又は２記載の情報出力ネットワークシステムである。
【０００８】
請求項４に係る本発明は、前記入力受付手段が、複数の発着地それぞれに対する公共交通手段の移動経路を表示して発着地の選択を促すことにより、発着地の少なくとも１つを特定する入力を受け付ける請求項１乃至３いずれか記載の情報出力ネットワークシステムである。
【０００９】
請求項５に係る本発明は、前記入力受付手段が配置されている発着地を他の発着地に変更する入力を受け付ける変更受付手段をさらに有する請求項１乃至４いずれか記載の情報出力ネットワークシステムである。
【００１０】
請求項６に係る本発明は、前記記憶手段が、複数の発着地それぞれに関する情報をさらに記憶し、前記検索手段は、検索した移動経路中の発着地に関する情報をさらに検索する請求項１乃至５いずれか記載の情報出力ネットワークシステムである。
【００１１】
請求項７に係る本発明は、前記検索手段が、複数の移動経路に関する情報を検索する請求項１乃至６いずれか記載の情報出力ネットワークシステムである。
【００１２】
請求項８に係る本発明は、前記記憶手段が、移動経路に関する情報の一部として、複数の移動経路それぞれに対する所要時間、料金又は乗り換え回数に関する情報の少なくともいずれかを記憶し、前記記憶手段が記憶する所要時間、料金又は乗り換え回数に関する情報のいずれかを優先させた順に、前記検索結果出力手段が前記検索手段の検索結果を出力するよう制御する優先順位制御手段をさらに有する請求項７記載の情報出力ネットワークシステムである。
【００１３】
請求項９に係る本発明は、前記優先順位制御手段が制御する優先順位に対する設定を受け付ける優先設定受付手段をさらに有する請求項８記載の情報出力ネットワークシステムである。
【００１４】
請求項１０に係る本発明は、前記検索結果出力手段が出力する複数の移動経路に関する情報のいずれかを選択する入力を受け付ける選択受付手段と、この選択受付手段が受け付けた入力に応じて、移動経路に対する料金の支払い方法に関する情報を出力する支払情報出力手段とをさらに有する請求項７乃至９いずれか記載の情報出力ネットワークシステムである。
【００１５】
請求項１１に係る本発明は、前記支払情報出力手段が、表示、印刷及び発声の少なくともいずれかを行うことにより、移動経路に対する料金の支払い方法に関する情報を出力する請求項１０記載の情報出力ネットワークシステムである。
【００１６】
請求項１２に係る本発明は、前記検索結果出力手段が出力する複数の移動経路に関する情報のいずれかを選択する入力を受け付ける選択受付手段と、この選択受付手段が受け付けた入力に応じて、移動経路に対する料金の清算を行う清算手段と、この清算手段が料金の精算を行った場合に、前記選択受付手段が受け付けた入力に対応する切符を印刷する印刷手段とをさらに有する請求項７乃至９いずれか記載の情報出力ネットワークシステムである。
【００１７】
請求項１３に係る本発明は、前記入力受付手段が配置されている場所とは異なる場所に対し、所定の情報を送信する必要があることを示す入力を受け付ける情報送信受付手段と、前記入力受付手段が配置されている場所とは異なる場所に配置され、前記情報送信受付手段が入力を受け付けた場合に、前記検索結果出力手段の出力に関連する情報を出力する関連情報出力手段とをさらに有する請求項１乃至１２いずれか記載の情報出力ネットワークシステムである。
【発明の効果】
【００１８】
本発明によれば、簡易な入力を受け付けることによって、公共交通手段による移動の経路に関する情報を出力することができる。
【発明を実施するための最良の形態】
【００１９】
次に本発明の実施形態を図面に基づいて説明する。
図１において、本発明の実施形態に係る情報出力ネットワークシステム１の概要が例示されている。情報出力ネットワークシステム１は、例えば鉄道のａ駅〜ｉ駅にそれぞれ配置された画像形成装置１０−ａ〜１０−i及び端末３０−ａ〜３０−iと、データセンタ４に配置されたサーバ４０−１〜４０−３及び端末４２とを有し、ネットワーク５を介して、画像形成装置１０−ａ〜１０−i、端末３０−ａ〜３０−i、サーバ４０−１〜４０−３及び端末４２が相互に接続されている。
なお、ａ駅〜ｆ駅はＡ線（路線Ａ）における発着駅であり、ｇ駅、ｈ駅はＨ線（路線Ｈ）における発着駅であり、ｉ駅はＩ線（路線Ｉ）における発着駅である。
【００２０】
画像形成装置１０−ａ〜１０−iは、印刷機能、複写機能、ファクシミリ送受信機能及びスキャン機能を有する複合機であり、例えばａ駅〜ｉ駅のホーム（又は駅内の特定の場所）にそれぞれ配置され、鉄道による移動の経路に関する情報などを出力する（図２，３等を用いて詳述）。また、画像形成装置１０−ａ〜１０−iは、それぞれの配置場所及び所定の設定のみが異なり、実質的に同じ構成部分を有する。
端末３０−ａ〜３０−iは、それぞれ表示部３２及び図示しないスピーカ等を含むコンピュータであり、例えばａ駅〜ｉ駅に設けられた駅係員室内にそれぞれ配置されている。また、端末３０−ａ〜３０−iは、それぞれの配置場所及び所定の設定のみが異なり、実質的に同じ構成部分を有する。
以下、画像形成装置１０−ａ〜１０−iなど複数ある構成部分のいずれかを特定せずに示す場合には、単に「画像形成装置１０」などと略記することがある。
【００２１】
サーバ４０−１は、ａ駅〜ｉ駅の駅名、位置情報及びａ駅〜ｉ駅それぞれに対する鉄道の移動経路に関する情報（駅間相互の所要時間、料金及び乗り換え必要回数など）を記憶し、所定のアクセスに応じて情報を配信する。サーバ４０−２は、ａ駅〜ｉ駅それぞれの駅内情報（駅内の地図情報、移動方向、券売機操作方法、店舗情報及び販売商品情報など）を記憶し、所定のアクセスに応じて情報を配信する。サーバ４０−３は、画像形成装置１０−ａ〜１０−iなどから入力された情報、情報出力ネットワークシステム１内で処理された結果の履歴情報及び路線状況情報（電車の遅れ、事故等）などを記憶し、所定のアクセスに応じて情報を配信する。
【００２２】
端末４２は、それぞれ表示部４４及び図示しないスピーカ等を含むコンピュータであり、サーバ４０−１〜４０−３に対する設定及び制御等を行う。
【００２３】
次に、画像形成装置１０について詳述する。
図２は、画像形成装置１０の外観を示す正面図である。図３は、画像形成装置１０の構成を示すブロック図である。
画像形成装置１０は、例えばＣＰＵ１６、メモリ１７、ハードディスクドライブ（ＨＤＤ）等の記憶装置１８、電子写真方式の印刷装置１９、ネットワーク５を介してサーバ４０−１〜４０−３及び端末３０−ａ〜３０−i等との間でデータの送受信を行う通信インタフェース（ＩＦ）２０、タッチパネルからなるユーザインタフェース（ＵＩ）装置２１、スキャナなどの画像読取装置２２、スピーカ２３、ユーザ（路線利用者）に対して課金する課金装置２４、及びユーザを認証する認証装置２５を有する。これらの構成要素は、制御バス２６を介して互いに接続されている。このように、画像形成装置１０は、コンピュータとしての機能を有する。
なお、スピーカ２３は、ＣＰＵ１６の制御に応じて、所定の音声を出力することができるようにされている。認証装置２５は、例えば、非接触方式のＩＣカード等の認証カードに格納されている情報を読み取ることにより、認証カードを有するユーザの認証を行う。
【００２４】
次に、画像形成装置１０が鉄道の乗り換え案内をするために行う処理について説明する。
図４は、画像形成装置１０が鉄道の乗り換え案内をするために行う処理（Ｓ１０）を示すフローチャートである。
【００２５】
図４に示すように、ステップ１００（Ｓ１００）において、ＣＰＵ１６は、例えば連続する所定時間の入力をＵＩ装置２１を介して受け付けなかった場合、図５に示した乗り換え検索画面６０をＵＩ装置２１を介して表示する。乗り換え検索画面６０は、入力受付キー６２、入力表示部６４、優先設定受付キー６６及び検索開始受付キー６８などを有し、画像形成装置１０が設置されている駅がデフォルトの乗車駅として表示されている。
【００２６】
入力受付キー６２は、下車駅名の入力を受け付ける。入力表示部６４は、入力を受け付けた下車駅名を表示する。優先設定受付キー６６は、複数の移動経路をＵＩ装置２１が表示する場合に優先される条件の設定を受け付ける。なお、移動経路の表示に対する優先順位は、デフォルトとして所要時間が最優先されており、優先設定受付キー６６の受付結果に応じて、料金又は乗り換え回数が優先される条件に設定される。検索開始受付キー６８は、乗り換え検索画面６０に対して入力された条件による検索の開始、又は取り消しを受け付ける。
【００２７】
ステップ１０２（Ｓ１０２）において、ＣＰＵ１６は、ＵＩ装置２１の入力受付キー６２を介して下車駅の入力を受け付けると、Ｓ１０４の処理に進む。
【００２８】
ステップ１０４（Ｓ１０４）において、ＣＰＵ１６は、ＵＩ装置２１の検索開始受付キー６８を介して検索開始の指示入力を受け付けると、Ｓ１０６の処理に進む。
【００２９】
ステップ１０６（Ｓ１０６）において、ＣＰＵ１６は、サーバ４０−１，４０−２にアクセスし、乗車駅から下車駅までの移動経路に関する情報（駅間相互の所要時間、料金及び乗り換え必要回数など）、及び、検索した移動経路中の駅内情報（駅内の地図情報、移動方向、店舗情報及び販売商品情報など）を検索する。
【００３０】
ステップ１０８（Ｓ１０８）において、ＣＰＵ１６は、検索結果として、図６に示した乗り換え案内画面７０をＵＩ装置２１を介して表示する。乗り換え案内画面７０は、検索結果表示部７２、検索結果表示変更キー７４、印刷指示入力キー７６、券売機操作案内キー７８及び駅員連絡指示入力キー８０などを有し、複数の移動経路の検索結果を順次に表示するようにされている。
【００３１】
検索結果表示部７２は、検索された移動経路、所要時間、料金、乗り換え回数、及び乗り換え駅内の移動方向案内などを移動経路ごとに順次に表示する。検索結果表示変更キー７４は、複数の移動経路を順次に切り替えて表示するための指示入力を受け付ける。印刷指示入力キー７６は、検索結果表示部７２に現在表示している移動経路を印刷装置１９が印刷するための指示入力を受け付ける。券売機操作案内キー７８は、検索結果表示部７２に現在表示している移動経路をユーザが検索結果として選択したことを示す情報を受け付けるとともに、ユーザが選択した移動経路に対応する切符の券売機の操作方法をＵＩ装置２１が表示するための指示入力を受け付ける。駅員連絡指示入力キー８０は、画像形成装置１０が設置されている位置に駅係員（駅員）を呼ぶための指示入力を受け付ける。駅員連絡指示入力キー８０が押下されると、端末４２（関連情報出力手段）に対してＥメール又はその他の情報が送信され、画像形成装置１０が設置されている位置に駅係員を呼ぶことができるようにされている。
【００３２】
ステップ１１０（Ｓ１１０）において、ＣＰＵ１６は、ＵＩ装置２１の印刷指示キー７６を介して、検索結果表示部７２に現在表示している移動経路を印刷するための指示入力を受け付けると、Ｓ１１２の処理に進む。
【００３３】
ステップ１１２（Ｓ１１２）において、印刷装置１９は、ＣＰＵ１６の制御に応じて、検索結果表示部７２に現在表示している移動経路を印刷する。
【００３４】
なお、上記実施形態においては、ユーザが入力をしている画像形成装置１０が設置されている駅を乗車駅とし、乗車駅の特定を省略して移動経路を検索する場合を例に説明したが、これに限定されることなく、例えば図７に示した乗車駅設定画面８２をＵＩ装置２１によって表示し、ユーザが任意の乗車駅から移動経路を選択することができるようにされてもよい。乗車駅設定画面８２は、乗車駅名の入力を受け付ける入力受付キー８４、及び、入力を受け付けた乗車駅名を表示する乗車駅表示部８６などを有する。
【００３５】
また、データセンタ４に配置された端末４２の表示部４４、又は端末３０−ａ〜３０−iの表示部３２のいずれかに乗車駅設定画面８２を表示し、駅係員が画像形成装置１０の乗車駅のデフォルト（設置駅）を変更することができるようにされてもよい。
【００３６】
次に、乗り換え検索画面６０の変形例について説明する。
図８は、ＵＩ装置２１が表示する乗り換え検索画面６０の変形例（乗り換え検索画面８８）を示す表示画面例である。
なお、乗り換え検索画面８８において、図５に示した乗り換え検索画面６０を構成する部分と実質的に同一のものには、同一の符号が付してある。
図８に示すように、ＵＩ装置２１は、路線図表示部９０を有する乗り換え検索画面８８を表示し、ユーザが路線図表示部９０内のａ駅〜ｉ駅のいずれかを選択した場合に、選択された駅名を入力表示部６４に表示して、下車駅を特定する入力を受け付けるようにされてもよい。
【００３７】
画像形成装置１０は、サーバ４０−１〜４０−３にアクセスして検索した結果をＵＩ装置２１により表示することに替えて、スピーカ２３により検索結果などを音声出力するようにされてもよいし、印刷装置１９により検索結果などを印刷出力するようにされてもよい。
また、画像形成装置１０は、ユーザによって移動経路が選択された後に、課金装置２４が現金又はクレジットカードなどによって、移動経路に対する料金の精算を行うと、印刷装置１９が移動経路に対する切符を印刷するようにされてもよい。
さらに、情報出力ネットワークシステム１は、ユーザが移動経路を検索する場合に、認証装置２５によりユーザの認証（対応情報の取得）を合わせて行い、ユーザの検索履歴とユーザの認証結果とを対応させる情報をサーバ４０−３（対応情報記憶手段）において記憶し、ユーザが移動経路中のａ駅〜ｉ駅のいずれかで再びユーザの認証（対応情報の取得）を行った場合に、ユーザの検索履歴とともに路線状況情報（電車の遅れ、事故等）などをＵＩ装置２１が表示するようにされてもよい。なお、サーバ４０−３は、ユーザの検索履歴とユーザの認証結果とを対応させる情報を、検索結果から選択された移動経路でユーザが下車駅に到着する時刻、又は１日経過後に削除する。
【図面の簡単な説明】
【００３８】
【図１】本発明の実施形態に係る情報出力ネットワークシステムの概要を示す構成図である。
【図２】画像形成装置の外観を示す正面図である。
【図３】画像形成装置の構成を示すブロック図である。
【図４】画像形成装置が鉄道の乗り換え案内をするために行う処理（Ｓ１０）を示すフローチャートである。
【図５】ＵＩ装置が表示する乗り換え検索画面である。
【図６】ＵＩ装置が表示する乗り換え案内画面である。
【図７】ＵＩ装置が表示する乗車駅設定画面である。
【図８】ＵＩ装置が表示する乗り換え検索画面の変形例である。
【符号の説明】
【００３９】
１    情報出力ネットワークシステム
１０−ａ〜１０−i    画像形成装置
１６    ＣＰＵ
１７    メモリ
１８    記憶装置
１９    印刷装置
２０    通信ＩＦ
２１    ＵＩ装置
２２    画像読取装置
２３    スピーカ
２４    課金装置
２５    認証装置
２６    制御バス
４    データセンタ
４０−１〜４０−３    サーバ
４２    端末
４４    表示部
５    ネットワーク
６０    乗り換え検索画面
６２    入力受付キー
６４    入力表示部
６６    優先設定受付キー
６８    検索開始受付キー
７０    乗り換え案内画面
７２    検索結果表示部
７４    検索結果表示変更キー
７６    印刷指示キー
７８    券売機操作案内キー
８０    駅員連絡指示キー
８２    乗車駅設定画面
８４    入力受付キー
８６    乗車駅表示部
８８    乗り換え検索画面
９０    路線図表示部
【図１】
0004924252.tif 000002
【図２】
0004924252.tif 000003
【図３】
0004924252.tif 000004
【図４】
0004924252.tif 000005
【図５】
0004924252.tif 000006
【図６】
0004924252.tif 000007
【図７】
0004924252.tif 000008
【図８】
0004924252.tif 000009